(57)【要約】【課題】ユーザの好みあった番組が放送されていれば、そのことをユーザに通知することで、ユーザが自分の好みにあった番組を見逃すという事態の発生を抑え、ユーザにとって使い勝手の良い光ディスク装置を提供する。【解決手段】光ディスク装置１は、ユーザが予め設定した自分の好みに合う番組を示すキーワードをッ目おり２ａに記憶している。光ディスク装置１は、受信部３がテレビ放送信号の受信を停止しているとき、受信可能なチャンネル毎に放送されている番組を受信し、受信したチャンネル毎に放送されている番組のメタデータを抽出する。そして、チャンネル毎に、抽出したメタデータと、キーワードとが合致するかどうかを判定する。この判定において、キーワードと合致すると判定したメタデータを抽出したチャンネルの受信を開始する。【選択図】図１
2007110292.tif 000002
【特許請求の範囲】
【請求項１】
選択されているチャンネルで放送されているテレビ放送信号を受信する受信手段と、
前記受信手段が受信したテレビ放送信号により放送されている番組を、装置本体にセットされている光ディスクに録画する録画手段と、
装置本体にセットされている光ディスクに録画されている番組を再生する再生手段と、を備えた光ディスク装置において、
前記受信手段で受信したテレビ放送信号から、放送されている番組の内容を示すメタデータを抽出するメタデータ抽出手段と、
設定されたキーワードを記憶するキーワード記憶手段と、
前記受信手段によるテレビ放送信号の受信を停止している状態であるときに、前記受信手段が受信可能なチャンネル毎に、この受信手段により放送されているテレビ放送信号を受信し、前記メタデータ抽出手段によりメタデータを抽出し、ここで抽出したメタデータと前記キーワード記憶手段に記憶するキーワードとが合致するかどうかを判定する判定手段と、
前記判定手段によりキーワードと合致すると判定されたメタデータがあれば、前記受信手段による、このメタデータを抽出したチャンネルの受信を開始し、受信している番組を出力する出力手段と、を備え、
前記出力手段は、前記判定手段によりキーワードと合致すると判定されたメタデータを抽出したチャンネルで放送されている番組の映像、または前記再生手段により再生されている番組の映像の一方に、他方の映像を組み込んだ合成映像を生成し、出力する合成映像出力機能を有するとともに、前記判定手段によりキーワードと合致すると判定されたメタデータを抽出したチャンネルが複数あれば、いずれかのチャンネルについて受信手段による受信を開始し、受信している番組とともに、キーワードと合致すると判定されたメタデータを抽出したチャンネルが複数ある旨のメッセージを出力する手段である光ディスク装置。
【請求項２】
選択されているチャンネルで放送されているテレビ放送信号を受信する受信手段と、
前記受信手段が受信したテレビ放送信号により放送されている番組を、装置本体にセットされている光ディスクに録画する録画手段と、
装置本体にセットされている光ディスクに録画されている番組を再生する再生手段と、を備えた光ディスク装置において、
前記受信手段で受信したテレビ放送信号から、放送されている番組の内容を示すメタデータを抽出するメタデータ抽出手段と、
設定されたキーワードを記憶するキーワード記憶手段と、
前記受信手段によるテレビ放送信号の受信を停止している状態であるときに、前記受信手段が受信可能なチャンネル毎に、この受信手段により放送されているテレビ放送信号を受信し、前記メタデータ抽出手段によりメタデータを抽出し、ここで抽出したメタデータと前記キーワード記憶手段に記憶するキーワードとが合致するかどうかを判定する判定手段と、
前記判定手段によりキーワードと合致すると判定されたメタデータがあれば、前記受信手段による、このメタデータを抽出したチャンネルの受信を開始し、受信している番組を出力する出力手段と、を備えた光ディスク装置。
【請求項３】
前記出力手段は、前記判定手段によりキーワードと合致すると判定されたメタデータを抽出したチャンネルで放送されている番組の映像、または前記再生手段により再生されている番組の映像の一方に、他方の映像を組み込んだ合成映像を生成し、出力する合成映像出力機能を有する手段である請求項２に記載の光ディスク装置。
【請求項４】
前記出力手段は、前記判定手段によりキーワードと合致すると判定されたメタデータを抽出したチャンネルが複数あれば、いずれかのチャンネルについて受信手段による受信を開始し、受信している番組とともに、キーワードと合致すると判定されたメタデータを抽出したチャンネルが複数ある旨のメッセージを出力する手段である請求項２または３に記載の光ディスク装置。
【発明の詳細な説明】
【技術分野】
【０００１】
この発明は、ディジタルテレビ放送による番組をＤＶＤ等の光ディスクに録画したり、光ディスクに録画されている番組を再生する光ディスク装置に関する。
【背景技術】
【０００２】
従来、選択されているチャンネルのテレビ放送信号を受信する受信部を有し、この受信部で受信しているチャンネルで放送されている番組をＤＶＤ等の光ディスクに録画する機能（所謂、録画機能）や、光ディスクに録画されている番組を再生する機能（所謂、再生機能）を備えた、光ディスク装置が広く一般に普及している。また、最近では、ディジタル放送によるテレビ放送が本格的に開始されたことで、ディジタル放送の受信部を有する光ディスク装置が実用化されはじめている。ディジタル放送では、番組の映像や音声だけでなく、その番組に関する情報を多重化して放送することができる。例えば、番組のシーン毎に、そのシーンの出演者や、そのシーンの状況等を示す情報を多重化して放送することができる。この情報は、一般にメタデータと呼ばれている。
【０００３】
そして、番組を録画するときに、この番組本編とともにメタデータを記録し、ユーザが録画した番組の再生時に、メタデータを利用して所望のシーンを簡単に検索できる機能を備えた装置の提案がこれまでに種々なされている（例えば、特許文献１〜３参照）。
【特許文献１】特開２００４−２８２１１４号公報
【特許文献２】特開２００５−７２８２６号公報
【特許文献３】特開２００５−１８４５０７号公報
【発明の開示】
【発明が解決しようとする課題】
【０００４】
しかしながら、従来提案されている装置は、光ディスク等に録画した番組の再生時に、メタデータを利用して所望のシーンの検索するものであり、番組がテレビ放送されているときにおける、この番組のメタデータの利用方法については、殆ど提案されていないというのが現状である。
【０００５】
なお、特許文献３においては、受信している番組（放送中の番組）のメタデータを用いて、録画済の番組のメタデータを検索し、対応するメタデータの番組が録画されていれば、その旨をユーザに通知するための技術が記載されている。
【０００６】
従来の装置は、選択されていないチャンネルでユーザの好みにあった番組が放送されていても、そのことをユーザに知らせることができなかった。このため、ユーザが、自分の好みにあった番組が放送されていても、そのことに気づかず、自分の好みにあった番組を見逃すことがあった。例えば、ユーザがＤＶＤ等の光ディスクに録画した番組を再生し、視聴しているときに、自分の好みにあった番組が放送されていても、そのことに気づかない。その結果、ユーザは、そのまま光ディスクに録画されている番組の視聴をつづけ、放送されている自分の好みにあった番組を見逃してしまう。
【０００７】
この発明の目的は、ユーザの好みあった番組が放送されていれば、そのことをユーザに通知することで、ユーザが自分の好みにあった番組を見逃してしまうという事態の発生頻度を抑えるとともに、ユーザにとって使い勝手の良い光ディスク装置を提供することにある。
【課題を解決するための手段】
【０００８】
この発明の光ディスク装置は、上記課題を解決し、その目的を達成するために、以下の構成を備えている。
【０００９】
（１）選択されているチャンネルで放送されているテレビ放送信号を受信する受信手段と、
前記受信手段が受信したテレビ放送信号により放送されている番組を、装置本体にセットされている光ディスクに録画する録画手段と、
装置本体にセットされている光ディスクに録画されている番組を再生する再生手段と、を備えた光ディスク装置において、
前記受信手段で受信したテレビ放送信号から、放送されている番組の内容を示すメタデータを抽出するメタデータ抽出手段と、
設定されたキーワードを記憶するキーワード記憶手段と、
前記受信手段によるテレビ放送信号の受信を停止している状態であるときに、前記受信手段が受信可能なチャンネル毎に、この受信手段により放送されているテレビ放送信号を受信し、前記メタデータ抽出手段によりメタデータを抽出し、ここで抽出したメタデータと前記キーワード記憶手段に記憶するキーワードとが合致するかどうかを判定する判定手段と、
前記判定手段によりキーワードと合致すると判定されたメタデータがあれば、前記受信手段による、このメタデータを抽出したチャンネルの受信を開始し、受信している番組を出力する出力手段と、を備えている。
【００１０】
この構成では、キーワード記憶手段がユーザの好みに合う番組を示すキーワード、例えばファンである芸能人の名前や、犬、猫等の動物の種類、を記憶する。受信手段がテレビ放送信号の受信を停止しているとき、この受信手段により受信可能なチャンネル毎に放送されている番組を受信する。また、メタデータ抽出手段が、ここで受信したチャンネル毎に放送されている番組のメタデータを抽出する。そして、判定手段が、チャンネル毎に、抽出したメタデータと、記憶手段に記憶しているキーワードとが合致するかどうかを判定する。すなわち、ユーザの好みに合う番組が放送されているかどうかを判定する。そして、判定手段によりキーワードと合致すると判定されたメタデータを抽出したチャンネルがあれば、受信手段がそのチャンネルで放送されている番組の受信を開始し、出力手段がこの番組を出力する。
【００１１】
このように、ユーザは、自分の好みに合う番組を示すキーワードを登録しておくと、自分の好みあった番組が放送されているチャンネルが自動的に受信され、その番組が出力される。したがって、ユーザが自分の好みにあった番組を見逃してしまうという事態の発生頻度を抑えることができる。また、ユーザはキーワードを登録しておくだけでよいので、ユーザの使い勝手を低下させるということもない。
【００１２】
また、判定手段は、受信手段によるテレビ放送信号の受信を停止しているときに動作する構成であり、言い換えれば、受信手段によるテレビ放送信号の受信を行っているときに動作しない構成である。このため、受信手段で受信しているチャンネルで放送されている番組を光ディスクに録画しているときに、受信手段が他のチャンネルの受信を行い、番組が光ディスクに適正に録画されないという事態が生じることもない。
【００１３】
（２）前記出力手段は、前記判定手段によりキーワードと合致すると判定されたメタデータを抽出したチャンネルで放送されている番組の映像、または前記再生手段により再生されている番組の映像の一方に、他方の映像を組み込んだ合成映像を生成し、出力する合成映像出力機能を有する手段である。
【００１４】
この構成では、出力手段が、光ディスクに録画されている再生中の番組の映像、または放送中のユーザの好みにあった番組の映像の一方に、他方の映像を組み込んだ合成映像、所謂ピクチャインピクチャによる映像、を出力する。したがって、光ディスクに録画されている番組の再生を中断することなく、好みにあった番組が放送されていることをユーザに通知することができる。
【００１５】
（３）前記出力手段は、前記判定手段によりキーワードと合致すると判定されたメタデータを抽出したチャンネルが複数あれば、いずれかのチャンネルについて受信手段による受信を開始し、受信している番組とともに、キーワードと合致すると判定されたメタデータを抽出したチャンネルが複数ある旨のメッセージを出力する手段である。
【００１６】
この構成では、ユーザの好みにあった番組が放送されているチャンネルが複数あるときには、そのことをユーザに知らせることができる。したがって、ユーザが自分の好みにあった番組を見逃してしまうという事態の発生頻度を一層抑えることができる。
【発明の効果】
【００１７】
この発明によれば、ユーザは、自分の好みに合う番組を示すキーワードを登録しておくだけで、自分の好みあった番組が放送されているときには、この番組が放送されているチャンネルが自動的に受信され、出力される。したがって、ユーザが自分の好みにあった番組を見逃してしまうという事態の発生頻度を抑えることができる。また、ユーザはキーワードを登録しておくだけでよいので、ユーザの使い勝手を低下させるということもない。
【００１８】
また、受信手段で受信しているチャンネルで放送されている番組を光ディスクに録画しているときに、この受信手段が他のチャンネルの受信を行い、番組が光ディスクに適正に録画されないという事態が生じることもない。
【発明を実施するための最良の形態】
【００１９】
以下、この発明の実施形態である光ディスク装置について説明する。
【００２０】
図１は、この発明の実施形態である光ディスク装置の構成を示すブロック図である。この実施形態の光ディスク装置１は、装置本体各部の動作を制御する制御部２と、選択されているチャンネルで放送されているテレビ放送信号を受信する受信部３と、受信部３で受信されたテレビ放送信号を処理する受信信号処理部４と、装置本体にセットされているＤＶＤ等の光ディスク１０に対して、録画する番組のデータの記録や、録画されている番組のデータの読み取りを行う記録／読取部５と、記録／読取部５が光ディスク１０から読み取った番組のデータを処理するデータ処理部６と、複数の映像を合成した合成映像を生成する合成映像生成部７と、映像信号や音声信号を出力する出力部８と、装置本体に対する入力操作を受け付ける操作部９と、を備えている。この実施形態の光ディスク装置１は、受信部３で受信しているチャンネルで放送されている番組を光ディスク１０に録画することができる。また、光ディスク１０に録画されている番組を再生することもできる。
【００２１】
制御部２は、ユーザが設定した、自分の好みにあう番組を示すキーワードを記憶するメモリ２ａを有している。ユーザは、例えばファンである芸能人の名前や、犬、猫等の動物の種類をキーワードとして設定することができる。キーワードの設定は、操作部９に設けられているキー操作や、図示していないリモコン装置におけるキー操作により行える。受信部３には、テレビ放送信号を受信するアンテナ（不図示）が接続されている。受信部３は、アンテナで受信されているテレビ放送信号から、選択されているチャンネルのテレビ放送信号を抽出し、出力する。この受信部３は、ディジタルテレビ放送信号を受信するチューナである。受信信号処理部４は、受信部３で受信された選択されているチャンネルのディジタル放送信号を処理し、このチャンネルで放送されている番組の映像データ、音声データ、メタデータ等を得る。受信信号処理部４において得られる映像データや、音声データは、ＭＰＥＧ等でエンコードされたデータである。
【００２２】
記録／読取部５は、光ディスク１０に対してレーザ光を照射する公知のピックアップヘッド（不図示）を有している。記録／読取部５は、記録するデータに応じてパルス変調したレーザ光を光ディスク１０に照射することで、この光ディスク１０にデータを記録する。また、記録／読取部５は、光ディスク１０に照射したレーザ光の反射光を検出することで、この光ディスク１０に記録されているデータを読み取る。光ディスク１０に記録されている映像データや、音声データもＭＰＥＧ等でエンコードされたデータである。データ処理部６は、受信信号処理部４で処理された映像データや、音声データのデコードや、記録／読取部５が光ディスク１０から読み取った映像データや、音声データのデコードを行う。合成映像生成部７は、ＯＳＤ画像を記憶するＯＳＤ画像メモリ７ａを有している。このＯＳＤ画像メモリ７ａには、ＯＳＤ画像として、設定メニュー画面の映像や、ユーザに対するメッセージの映像等が記憶されている。合成映像生成部７は、受信部３で受信されているチャンネルで放送されている番組の映像、光ディスク１０に録画されている番組の映像、およびＯＳＤ画像メモリ７ａに記憶しているＯＳＤ画像、の少なくとも２つ以上の映像を合成した合成映像を生成し、出力する。また、合成映像生成部７は、受信部３で受信されているチャンネルで放送されている番組の映像、または光ディスク１０に録画されている番組の映像を、他の映像と合成することなく出力する場合もある。合成映像生成部７は、制御部２から合成映像を生成することが指示されたときに合成映像を生成し、合成映像を生成することが指示されていないときに合成映像を生成しない。出力部８には、映像を表示する表示装置１１や、音声を出力するスピーカ１２が接続される。出力部８は、合成映像部７で生成された合成映像、受信部３で受信されているチャンネルで放送されている番組の映像、または光ディスク１０に録画されている番組の映像にかかる映像信号を出力する。この映像信号は表示装置１１に入力され、この表示装置１１において映像が表示される。また、出力部８は、受信部３で受信されているチャンネルで放送されている番組の音声、または光ディスク１０に録画されている番組の音声にかかる音声信号を出力する。この音声信号はスピーカ１２に入力され、このスピーカ１２において音声が出力される。操作部９には、ユーザが入力操作を行うときに操作する複数の操作キーや、図示していないリモコン装置から送信されてきた装置本体に対する制御コードを受信するリモコン受信部を有している。リモコン装置は、周知のように、ユーザが入力操作を行うときに操作する複数の操作キーを有し、操作された操作キーに応じた制御信号を赤外線や電波で送出する構成である。
【００２３】
次に、この発明の実施形態である光ディスク装置１の動作について説明する。この実施形態の光ディスク装置１は、上述したように、受信部３で受信しているチャンネルで放送されている番組を光ディスク１０に録画することができる。また、ディジタル放送では、番組の映像や音声にかかるデータとともに、シーン毎にそのシーンの内容、例えばそのシーンの出演者や、そのシーンの状況等を示すメタデータを配信している。受信部３で受信しているチャンネルで放送されている番組を光ディスク１０に録画する処理については、公知であるので、ここでは簡単に説明しておく。
【００２４】
光ディスク装置１は、受信部３で受信しているチャンネルのテレビ放送信号を受信信号処理部４で処理する。受信信号処理部４は、受信部３が受信しているチャンネルで放送されている番組の映像データ、音声データ、メタデータ等を得る。記録／読取部５が、受信信号処理部４で得た映像データ、および音声データに基づくプログラムストリームを生成し、このプログラムストリームに基づく録画データを装置本体にセットされている光ディスク１０に記録する。また、受信信号処理部４で得たメタデータについては、光ディスク１０に録画している番組のインデックス情報として、この光ディスク１０に記録してもよいし、図示していないハードディスク等の記録媒体に記録してもよいし、さらにはこのメタデータを光ディスク１０やハードディスク等の記録媒体に記録せずに破棄するようにしてもよい。
【００２５】
この実施形態の光ディスク装置１は、上述した処理を実行することにより、受信部３で受信しているチャンネルで放送されている番組を光ディスク１０に録画する。
【００２６】
また、この実施形態の光ディスク装置１は、装置本体にセットされている光ディスク１０に録画されている番組の再生が行える。光ディスク１０に録画されている番組を再生する処理についても公知であるので、ここでは簡単に説明しておく。光ディスク装置１は、記録／読取部５において、光ディスク１０に記録されている番組の録画データを読み取る。記録／読取部５が光ディスク１０から読み取った録画データは、データ処理部６において映像データと音声データとに分離されるとともに、分離された映像データおよび音声データのデコードされる。デコードされた映像データは、合成映像生成部７を介して出力部８に入力される。このとき、合成映像生成部７は、制御部２からの指示にしたがって、光ディスク１０に録画されている番組の映像と、他の映像と、を合成した合成映像を生成し、出力する場合もある。合成映像生成部７が合成映像を生成するときの処理については、後述する。また、データ処理部６で、デコードされた音声データは出力部８に入力される。出力部８は、入力された映像データに基づく映像信号を接続されている表示装置１１に入力し、入力された音声データに基づく音声信号を接続されているスピーカ１２に入力する。これにより、光ディスク１０に録画されている番組の映像が表示装置１１において表示されるとともに、この番組の音声がスピーカ１２から出力される。
【００２７】
この実施形態の光ディスク装置１は、上述した処理を実行することにより、光ディスク１０に録画されている番組を再生する。
【００２８】
また、この実施形態の光ディスク装置１は、受信部３で受信しているチャンネルで放送されている番組を光ディスク１０に録画しているかどうかにかかわらず、この番組の映像信号、および音声信号を出力部８から出力することができる。すなわち、光ディスク装置１を、ディジタルテレビ放送のチューナとして使用することもできる。この場合には、光ディスク装置１は、受信部３で受信しているチャンネルのテレビ放送信号を受信信号処理部４で処理する。受信信号処理部４は、上述したように、受信部３で受信しているチャンネルで放送されている番組の映像データ、音声データ、メタデータ等を得る。この番組を光ディスク１０に録画する場合には、上述した、記録／読取部５が、受信信号処理部４で得た映像データ、および音声データに基づくプログラムストリームを生成し、このプログラムストリームに基づく録画データを装置本体にセットされている光ディスク１０に記録する。
【００２９】
一方、受信信号処理部４は、映像データ、および音声データをデータ処理部６に入力する。データ処理部６は、受信信号処理部４から入力された映像データおよび音声データのデコードを行う。デコードされた映像データは、合成映像生成部７を介して出力部８に入力される。このとき、合成映像生成部７は、制御部２からの指示にしたがって、受信部３で受信している番組の映像と、他の映像と、を合成した合成映像を生成し、出力する場合もある。合成映像生成部７が合成映像を生成するときの処理については、後述する。また、データ処理部６で、デコードされた音声データは出力部８に入力される。出力部８は、入力された映像データに基づく映像信号を接続されている表示装置１１に入力し、入力された音声データに基づく音声信号を接続されているスピーカ１２に入力する。これにより、受信部３で受信しているチャンネルで放送されている番組の映像が表示装置１１において表示されるとともに、この番組の音声がスピーカ１２から出力される。
【００３０】
次に、この発明の実施形態である光ディスク装置１の特徴的な動作である番組検索処理について説明する。この実施形態の光ディスク装置１は、装置本体の電源がオンされているとき、いずれかのチャンネルで、ユーザの好みに合う番組が放送されているかどうかを判定し、ユーザの好み合う番組が放送されていれば、そのことをユーザに通知する番組検索処理を行う。この処理は、装置本体の電源がオンされたタイミングや、現在時刻等を基準にし、装置本体の電源がオフされるまで、一定時間毎、例えば５分毎や、１０分毎、に繰り返し実行される。図２は、この番組検索処理を示すフローチャートである。
【００３１】
光ディスク装置１は、まず受信部３が停止状態であるかどうかを判定する（ｓ１）。受信部３が停止状態であるとは、受信部３が選択されているチャンネルで放送されているテレビ放送信号を受信していない状態を指し、例えば装置本体にセットされている光ディスク１０に記録されている番組を再生しているときや、光ディスク１０に記録されている番組の再生を停止しているが、ＯＳＤ画像メモリ７ａに記憶しているオープニング画像を出力部８から出力しているときの状態である。一方、受信部３が停止状態でないとは、受信部３が選択されているチャンネルで放送されているテレビ放送信号を受信している状態を指し、例えば受信部３で受信しているチャンネルで放送されている番組を光ディスク１０に録画しているときの状態（上述した番組の録画を行っているときの状態）や、受信部３で受信しているチャンネルで放送されている番組を出力部８から出力しているときの状態（上述したチューナとして使用しているときの状態）である。
【００３２】
光ディスク装置１は、ｓ１で受信部３が停止状態であると判定すると、受信部３が受信可能なチャンネル毎に、そのチャンネルのテレビ放送信号を受信し、受信信号処理部４でメタデータを抽出する（ｓ２）。光ディスク装置１は、ｓ２で抽出したメタデータを、チャンネルと対応付けて制御部２のメモリ２ａに一時的に記憶する。光ディスク装置１は、チャンネル毎に、今回抽出したメタデータと制御部２のメモリ２ａに記憶しているキーワードと、が合致するかどうかを判定する（ｓ３）。このキーワードは、予めユーザが設定している。例えば、ファンである芸能人の名前や、犬、猫等の動物の種類をキーワードとして設定している。キーワードの設定は、操作部９に設けられているキー操作や、図示していないリモコン装置におけるキー操作により行える。キーワードは、ユーザが自由に設定することができる。
【００３３】
光ディスク装置１は、キーワードに合致するメタデータのチャンネルがあったかどうかを判定する（ｓ４）。光ディスク装置１は、ｓ４で合致するチャンネルがあったと判定すると、そのチャンネルが１つであったか、複数であったかを判定する（ｓ５）。
【００３４】
なお、光ディスク装置１は、ｓ４で合致するチャンネルが無いと判定すると、本処理を終了する。
【００３５】
光ディスク装置１は、ｓ５でキーワードに合致するメタデータのチャンネルが１つであったと判定すると、このチャンネルを受信部３が受信するチャンネルに設定し、ここで設定したチャンネルの受信を開始する（ｓ６）。そして、合成映像部７において、受信部３において受信を開始したチャンネルで放送されている番組の映像に、ＯＳＤ画像メモリ７ａに記憶しているＯＳＤ画像を重ね合わせた合成映像を生成する処理を開始する（ｓ７）。ｓ７では、メタデータがキーワードに合致したチャンネル、すなわちユーザの好みに合う番組が放送されているチャンネル、が１つであったことをユーザに通知するメッセージのＯＳＤ画像を重ね合わせた合成映像を生成する。また、出力部８は、合成映像生成部７で生成された合成映像の映像信号、およびｓ６で受信を開始したチャンネルで放送されている番組の音声信号を出力する（ｓ８）。これにより、表示装置１１において、ｓ８で生成された合成映像が表示されるとともに、ｓ６で受信が開始されたチャンネルで放送されている番組の音声がスピーカ１２から出力される。
【００３６】
一方、ｓ５でキーワードに合致するメタデータのチャンネルが複数あったと判定すると、この中から１つのチャンネルを受信部３が受信するチャンネルに設定し、ここで設定したチャンネルの受信を開始する（ｓ１０）。そして、合成映像部７において、受信部３においてｓ１０で受信を開始したチャンネルで放送されている番組の映像に、ＯＳＤ画像メモリ７ａに記憶しているＯＳＤ画像を重ね合わせた合成映像を生成する処理を開始する（ｓ１１）。ｓ１１では、メタデータがキーワードに合致したチャンネル、すなわちユーザの好みに合う番組が放送されているチャンネル、が複数あったとをユーザに通知するメッセージのＯＳＤ画像を重ね合わせた合成映像を生成する。また、出力部８は、合成映像生成部７で生成された合成映像の映像信号、およびｓ１０で受信を開始したチャンネルで放送されている番組の音声信号を出力する（ｓ１２）。これにより、表示装置１１において、ｓ１１で生成された合成映像が表示されるとともに、ｓ１０で受信が開始されたチャンネルで放送されている番組の音声がスピーカ１２から出力される。
【００３７】
光ディスク装置１は、ｓ７、またはｓ１１で合成映像の生成を開始してから、一定時間（例えば、５ｓ程度）経過すると（ｓ１３）、この合成映像の生成を停止し（ｓ１４）、本処理を終了する。これにより、出力部８からは、ｓ６またはｓ１０で受信が開始されたチャンネルで放送されている番組の映像信号（ＯＳＤ画像が重ね合わされていない映像）が出力される。すなわち、表示装置１１におけるＯＳＤ画像を重ね合わせた合成映像の表示は、ｓ７、またはｓ１１にかかる処理の開始から、一定時間後に終了する。この一定時間は、数秒程度、例えば５秒程度、である。
【００３８】
図３（Ａ）はｓ７で生成された合成映像の表示画面例を示す図であり、図３（Ｂ）はｓ１１で生成された合成映像の表示画面例を示す図である。ユーザは、ｓ７、またはｓ１１で生成された合成映像が表示装置１１において表示されたことにより、自分の好みにあった番組が放送されているチャンネルがあることを認識できる。また、ユーザは、自分の好みに合う番組が放送されているチャンネルが１つであるのか、複数であるのかも認識できる。さらに、ｓ８、またはｓ１２にかかる処理を実行するので、装置本体に対して特別な操作をユーザに行わせることなく、自分の好みにあう番組をユーザに視聴させることができる（ユーザが自分の好みに合う番組を見逃してしまうという事態の発生頻度を抑えることができる。）。さらに、ＯＳＤ画像を重ね合わせた合成映像の表示も、一定時間経過後に終了するので、いつまでも合成映像が表示されつづけることもない。これにより、ユーザが、ＯＳＤ画像により番組の映像が見づらいと、感じるのを防止でき、ユーザの使い勝手を低下させることもない。
【００３９】
また、ｓ１で受信部３が停止状態でなければ、ｓ２以降の処理を行わないので、例えば受信部３で受信しているチャンネルで放送されている番組を光ディスク１０に録画しているときに、ｓ２以降の処理が実行され、光ディスク１０への番組の録画が適正に行われないという問題が生じることもない。
【００４０】
また、光ディスク装置１が、光ディスク１０に録画されている番組の再生中であるときには、ｓ７、またはｓ１１で合成映像生成部７において生成を開始する合成映像を、受信部３においてｓ６、またはｓ１０で受信を開始したチャンネルで放送されている番組の映像を、再生している番組の映像に組み込み、さらにＯＳＤ画像メモリ７ａに記憶しているＯＳＤ画像を重ね合わせた合成映像としてもよい。この場合における、キーワードに合致するメタデータのチャンネルが１つであったときに生成される合成映像の表示画面例を図４（Ａ）に示し、キーワードに合致するメタデータのチャンネルが複数であったときに生成される合成映像の表示画面例を図４（Ｂ）に示す。このようにすれば、メタデータがキーワードに合致したチャンネルで放送されている番組について、再生している番組の視聴を妨げることなく、メタデータがキーワードに合致したチャンネルで放送されている番組をユーザに視聴するかどうかを判断させることができる。この場合には、再生している番組の視聴を継続するか、メタデータがキーワードに合致したチャンネルで放送されている番組の視聴に切り換えるか、の選択をユーザに行わせればよい。
【００４１】
なお、ここでは、受信部３においてｓ６、またはｓ１０で受信を開始したチャンネルで放送されている番組の映像を、再生している番組の映像に組み込むとしたが、再生している番組の映像を、受信部３においてｓ６、またはｓ１０で受信を開始したチャンネルで放送されている番組の映像に組み込むようにしてもよい。
【００４２】
また、この番組検索処理は、上述したように、装置本体の電源がオンされているときに、一定時間毎に繰り返し実行されるので、ユーザが自分の好みにあう番組が放送されていることに気づかずに、見逃してしまうという事態が発生するのを略確実に防止できる。
【図面の簡単な説明】
【００４３】
【図１】この発明の実施形態である光ディスク装置の構成を示すブロック図である。
【図２】この発明の実施形態である光ディスク装置における番組検索処理を示すフローチャートである。
【図３】表示装置における合成映像の表示画面例を示す図である。
【図４】表示装置における合成映像の表示画面例を示す図である。
【符号の説明】
【００４４】
１−光ディスク装置
２−制御部
２ａ−メモリ
３−受信部
４−受信信号処理部
５−記録／読取部
６−データ処理部
７−合成映像生成部
７ａ−ＯＳＤ画像メモリ
８−出力部
９−操作部
【図１】
2007110292.tif 000003
【図２】
2007110292.tif 000004
【図３】
2007110292.tif 000005
【図４】
2007110292.tif 000006